(57)【特許請求の範囲】
【請求項１】
交流電圧を直流電圧に変換して、この直流電圧を負荷に供給するための電源部と、空調運転の開始あるいは停止に応じてオンオフされる室外機給電用の電源スイッチとを備えた空気調和機であって、電源部は、コンデンサおよびコンデンサに蓄えられた電荷を放電する放電抵抗を有し、電源部のコンデンサとして、ノイズ吸収用の大容量の第１コンデンサおよび小容量の第２コンデンサが並列あるいは直列に接続され、空調運転時に使用される第２コンデンサを通らない運転時放電経路と待機時に使用される少なくとも第２コンデンサを通る待機時放電経路とが形成され、電源遮断時にコンデンサの放電時間を短縮するために、運転状況に応じて放電経路を変更する放電部が設けられ、
空調運転を行うとき、空調運転を開始する前に、放電部が動作して、待機時放電経路から運転時放電経路に切り替えられ、その後電源スイッチがオンされ、空調運転の停止の指示があると、空調運転を停止してから電源スイッチがオフされ、その後放電部が動作して、運転時放電経路から待機時放電経路に切り替えられることを特徴とする空気調和機。
【請求項２】
放電部は、交流電圧がゼロクロスするときに放電経路を切り替えることを特徴とする請求項１記載の空気調和機。
【請求項３】
交流電圧を直流電圧に変換して、この直流電圧を負荷に供給するための電源部を備えた空気調和機であって、電源部は、コンデンサおよびコンデンサに蓄えられた電荷を放電する放電抵抗を有し、電源遮断時にコンデンサの放電時間を短縮するために、コンデンサから放電抵抗に至る放電経路を変更する放電部が設けられ、
電源部のコンデンサが平滑コンデンサとされ、放電抵抗として、抵抗値の大きい第１放電抵抗および抵抗値の小さい第２放電抵抗が設けられ、空調運転時に使用される第１放電抵抗を通る通常放電経路と電源遮断時に使用される第２放電抵抗を通る急速放電経路とが形成され、
電源部から供給される直流電圧によって作動する制御部が設けられ、制御部と電源部との間に電流ヒューズが設けられ、電流ヒューズが切れて、制御部への電源が遮断されたときに、放電部は、通常放電経路から急速放電経路に切り替えることを特徴とする空気調和機。
【請求項４】
電流ヒューズが切れずに制御部への電源が遮断されたとき、通常放電経路が使用されることを特徴とする請求項３記載の空気調和機。
【発明の詳細な説明】
【技術分野】
【０００１】
本発明は、電源が遮断されたときにコンデンサの放電を行う電源部を備えた空気調和機に関する。
【背景技術】
【０００２】
空気調和機に設けられた電源部は、入力された交流電圧を直流電圧に変換する整流回路と、直流電圧を平滑化する平滑コンデンサとを備えている。電源部は、商用交流電源から生成した直流電圧をファンモータ、圧縮機などの負荷に供給する。電源部には、電気用品安全法で定められた雑音端子電圧および雑音電圧を低くするために、ノイズ吸収用のコンデンサが整流回路の前段に設けられる。さらに、このコンデンサに蓄えられた電荷を放電するための放電抵抗がコンデンサと並列に設けられる。電源プラグがコンセントから外されて、交流電圧が入力しなくなるといった電源遮断時に、コンデンサに蓄積された電荷が放電抵抗を介して放電される。
【０００３】
コンデンサの電荷を放電させる放電時間は電器用品安全法で定められている時間内にしなければならない。すなわち、１秒以内に１Ｖ以下になるように放電させなければならない。このような規格を満たすために、コンデンサの容量や放電抵抗の抵抗値が調整される。
【０００４】
空調運転時には、回路負荷が大きくなる、すなわち電流が多く流れる。このとき、各回路のスイッチング部で発生する雑音レベルが大きくなり、雑音端子電圧および雑音電力が高くなる。コンデンサの容量が大きいと、雑音吸収レベルが向上し、雑音端子電圧および雑音電力を低くすることができる。一方、空調運転が行われていない待機時には、回路負荷が小さく、流れる電流が小さい。このとき、雑音レベルは小さくなる。
【０００５】
外部にノイズが漏れないようにするためにコンデンサの容量を大きくすると、電源が遮断されたときにコンデンサの電荷を放電するのに要する放電時間が長くなる。放電抵抗の抵抗値を小さくすると、放電時間を短くすることができる。しかし、放電抵抗の抵抗値が小さいと、待機時に放電抵抗に多くの電流が流れ、待機時における消費電力が増える。
【０００６】
特許文献１では、電源が入力されているとき、放電抵抗とコンデンサとが非接続状態にされ、待機時の消費電力を低減することができる。電源が遮断されると、放電抵抗とコンデンサとが接続状態となる。特許文献２では、通常時には、スイッチ素子が非道通になり、放電抵抗に電流が流れない。電源遮断時には、スイッチ素子が導通し始めるタイミングを早めて、コンデンサが放電し始めるまでの期間が短縮される。
【先行技術文献】
【特許文献】
【０００７】
【特許文献１】特開２００２−４８３７５号公報
【特許文献２】特開２００９−１６５２０８号公報
【発明の概要】
【発明が解決しようとする課題】
【０００８】
上記のように、待機時の消費電力を低減するには、放電抵抗に電流が流れないようにすればよい。しかし、特許文献２では、放電が開始されるタイミングが早くなるだけである。すなわち、コンデンサに蓄えられた電荷を放電するのに要する放電時間は短縮されていない。したがって、待機時の消費電力を低減するとともに、電源遮断時の放電時間を短縮することはできない。
【０００９】
そこで、本発明は、上記に鑑み、待機時の消費電力の低減だけでなく電源遮断時の放電時間の短縮を図ることができる空気調和機の提供を目的とする。
【課題を解決するための手段】
【００１０】
本発明の空気調和機は、交流電圧を直流電圧に変換して、この直流電圧を負荷に供給するための電源部を備え、電源部は、コンデンサおよびコンデンサに蓄えられた電荷を放電する放電抵抗を有し、電源遮断時にコンデンサの放電時間を短縮するために、コンデンサから放電抵抗に至る放電経路を変更する放電部が設けられたものである。
【００１１】
放電時間の長い放電経路と放電時間の短い放電経路がある場合、放電部は、電源プラグがコンセントから外れるといった電源遮断時に、放電時間の短い放電経路を使用できるようにする。
【００１２】
電源部のコンデンサとして、ノイズ吸収用の大容量の第１コンデンサおよび小容量の第２コンデンサが設けられ、第２コンデンサを通らない運転時放電経路と第２コンデンサを通る待機時放電経路とが形成され、放電部は、空調運転時には運転時放電経路を使用し、待機時には待機時放電経路に切り替える。
【００１３】
空調運転時に大容量のコンデンサを有する運転時放電経路を使用することにより、運転中に発生するノイズを吸収することができる。このとき、運転時放電経路による放電時間は長いが、空調運転時に電源が遮断されても、他の回路部品が動作しているので、他の回路部品を通じて放電される。待機時に小容量のコンデンサを有する待機時放電経路が使用される。このとき、電源が遮断されると、コンデンサに蓄えられた電荷が少ないので、抵抗値の高い放電抵抗を使用していても、短時間で放電することができる。そして、抵抗の大きい放電抵抗を使用することにより、待機時の消費電力を低減できる。
【００１４】
放電部は、交流電圧がゼロクロスするときに放電経路を切り替える。交流電圧がゼロクロスするとき、コンデンサには充電されない。このときに放電経路を切り替えることにより、放電経路の変更によって使用されなくなったコンデンサの残留電荷をなくすことができる。
【００１５】
電源部のコンデンサが平滑コンデンサとされ、放電抵抗として、抵抗値の大きい第１放電抵抗および抵抗値の小さい第２放電抵抗が設けられ、第１放電抵抗を通る通常放電経路と第２放電抵抗を通る急速放電経路とが形成され、放電部は、空調運転時には通常放電経路を使用し、電源遮断時には急速放電経路に切り替える。
【００１６】
電源遮断時に、抵抗の小さい急速放電経路に切り替わることにより、抵抗の大きい通常放電経路を使用する場合に比べて放電時間が短くなる。空調運転時には、抵抗の大きい通常放電経路が使用されるので、放電抵抗での消費電力を低減できる。
【００１７】
電源部から供給される直流電圧によって作動する制御部が設けられ、制御部と電源部との間に電流ヒューズが設けられ、電流ヒューズが切れて、制御部への電源が遮断されたときに、放電部は、通常放電経路から急速放電経路に切り替える。
【００１８】
電流ヒューズの溶断により制御部に電源が供給されなくなると、制御部は作動しなくなる。このとき、自動的に通常放電経路から急速放電経路に切り替わるので、平滑コンデンサに蓄えられた電荷がすばやく放電される。
【発明の効果】
【００１９】
本発明によると、放電時間の長い放電経路から放電時間の短い放電経路に変更することにより、電源が遮断されたときにすばやく放電することができ、この後の作業を支障なく行うことができる。また、待機時に抵抗の少ない放電経路を使用するように放電経路を変更しておくことにより、放電抵抗による消費電力を低減することができ、省エネルギ化を図れる。
【図面の簡単な説明】
【００２０】
【図１】本発明の空気調和機の室内機と室外機の電気的接続を示す図
【図２】第１実施形態の室内機の電源部および放電部の回路ブロック図
【図３】室外機の電源部の回路ブロック図
【図４】第２実施形態の室内機の電源部および放電部の回路ブロック図
【図５】交流電圧のゼロクロス時に発するクロックパルスを示す図
【図６】第５実施形態の室内機の電源部および放電部の回路ブロック図
【図７】第６実施形態の室外機の電源部および放電部の回路ブロック図
【図８】第７実施形態の室外機の電源部および放電部の回路ブロック図
【図９】第８実施形態の室外機の電源部および放電部の回路ブロック図
【図１０】第９実施形態の電源部の回路ブロック図
【図１１】回路保護部品を搭載した電装基板を示す図
【図１２】従来の回路保護部品を搭載した電装基板を示す図
【図１３】回路保護部品を搭載した交換基板付きの電装基板を示す図
【図１４】交換基板を搭載した電装基板を示す図
【図１５】交換基板を接続した電装基板の回路図
【図１６】第１０実施形態の回路保護部品を搭載した交換基板付きの電装基板を示す図
【図１７】交換基板を接続した電装基板を示す図
【図１８】第１１実施形態の交換用の回路保護部品を搭載した電装基板を示す図
【図１９】２組の回路保護部品の回路図
【図２０】回路保護部品を交換する前の電装基板を示す図
【図２１】回路保護部品を交換した後の電装基板を示す図
【図２２】第１２実施形態の室内機と室外機間の配線を示す図
【図２３】室内機の通信回路を示す図
【図２４】誤配線検出部を示す図
【図２５】正しく配線されているときの誤配線検出部の出力を示す図
【図２６】第１３実施形態の誤配線検出部を示す図
【図２７】第１４実施形態の誤配線検出部を示す図
【図２８】（ａ）正しく配線されているときの誤配線検出部の出力を示す図、（ｂ）誤配線されたときの誤配線検出部の出力を示す図
【図２９】室内機と室外機間の誤配線を示す図
【図３０】第１５実施形態の誤配線検出部を示す図
【発明を実施するための形態】
【００２１】
（第１実施形態）
本実施形態の空気調和機は、室内機と室外機とが冷媒配管および配線により接続されて構成される。室内機は、室内熱交換器、送風ファンを備える。室外機は、圧縮機、四方弁、室外熱交換器、膨張弁、室外ファンを備える。そして、図１に示すように、空気調和機は、商用交流電源からの交流電圧を直流電圧に変換して、この直流電圧を負荷に供給するための電源部１と、直流電圧を所定の電圧に変換して負荷を駆動する駆動部２と、負荷の動作を制御する制御部３とを備えている。なお、電源部１、駆動部２および制御部３は、室内機および室外機にそれぞれ設けられる。
【００２２】
商用交流電源は室内機および室外機にそれぞれ供給される。室内機および室外機には、端子板４が設けられ、各端子板４に複数の端子が設けられ、複数の端子同士が複数の接続線によりそれぞれ接続される。室内機の制御部３と室外機の制御部３は、通信用の接続線を介してシリアル信号を送受信する。そして、室内機内の電源線５に、電源スイッチ６が設けられる。リレーからなる電源スイッチ６は、制御部３の指令によりオンオフされる。電源スイッチ６がオンすると、交流電源が室外機に給電される。電源スイッチ６がオフすると、室外機への交流電源が遮断される。
【００２３】
図２に示すように、室内機の電源部１は、整流回路１０および平滑コンデンサ１１を有している。交流電源ライン１２に接続された整流回路１０は、ダイオードブリッジからなる。平滑コンデンサ１１と放電抵抗１３が直流電源ライン１４の間に並列に接続されている。駆動部２は、送風ファンのファンモータ１５、制御部３などの負荷を駆動するためのファンモータ回路、スイッチング電源回路１６などを有している。制御部３は、マイクロコンピュータ、メモリなどから構成され、直流電源ライン１４に接続されたスイッチング電源回路１６から供給される安定化された直流電圧によって作動する。
【００２４】
図３に示すように、室外機の電源部１も室内機の電源部１と同様に、整流回路１０および平滑コンデンサ１１、放電抵抗１３を有している。駆動部２は、圧縮機１７、室外ファンのファンモータ１８、制御部３などの負荷を駆動するためのファンモータ回路、インバータ回路、スイッチング電源回路１６などを有している。制御部３は、マイクロコンピュータ、メモリなどから構成される。なお、１９はスイッチング電源回路１５を保護するための電流ヒューズである。
【００２５】
室内機の電源部１では、ノイズが外部に漏れないようにして、雑音端子電圧および雑音電力の低減が図られている。図２に示すように、このノイズ対策として、交流電源ライン１２にノイズ吸収用の第１コンデンサ２５が設けられる。そして、第１コンデンサ２５に蓄えられた電荷を放電するための放電抵抗２６が第１コンデンサ２５と並列に接続される。
【００２６】
ここで、ノイズ吸収用のコンデンサとして、容量の異なる第１コンデンサ２５および第２コンデンサ２７が用いられる。第１コンデンサ２５の容量は第２コンデンサ２７の容量よりも大とされる。例えば、第１コンデンサ２５の容量は０．１μＦ、第２コンデンサ２７の容量は０．０１μＦとされる。交流電源ライン１２において、第１コンデンサ２５と第２コンデンサ２７は並列に接続される。放電抵抗２６は、各コンデンサ２５、２７と整流回路１０との間に配置される。
【００２７】
これにより、各コンデンサ２５、２７を通る放電経路が２つ形成される。第１コンデンサ２５から放電抵抗２６を通る放電経路が運転時放電経路とされ、第２コンデンサ２７から放電抵抗２６を通る放電経路が待機時放電経路とされる。運転時放電経路は、第２コンデンサ２７を通らない放電経路である。
【００２８】
大容量の第１コンデンサ２５は、小容量の第２コンデンサ２７よりもノイズ低減効果が優れている。そのため、第１コンデンサ２５は、ノイズの発生が多い空調運転時に使用するのに適している。一方、圧縮機１７や室内外のファンが動作していない待機時には、ノイズの発生が少ないので、小容量の第２コンデンサ２７を使用しても差し支えない。しかも、小容量の第２コンデンサ２７に蓄積される電荷は少ないので、放電時間が短くなる。したがって、待機時には第２コンデンサ２７を使用するのが適している。
【００２９】
そこで、運転状況に応じて放電経路を変更する放電部３０が設けられる。制御部３は、運転状況を判断して、放電部３０を動作させる。空調運転時、待機時などの運転状況に応じて、運転時放電経路と待機時放電経路のうち、いずれか一方の放電経路が使用される。特に、待機時には、コンデンサの放電時間を短縮するために待機時放電経路が使用される。
【００３０】
図２に示すように、放電部３０は、第１コンデンサ２５と第２コンデンサ２７のいずれか一方を導通させて、放電経路を形成するスイッチ素子を有する。スイッチ素子は、ｃ接点タイプの切替リレー３１とされる。切替リレー３１のリレー接点３２が第１コンデンサ２５および第２コンデンサ２７と直列に接続される。ＮＣ接点が第２コンデンサ２７に接続され、ＮＯ接点が第１コンデンサ２５に接続される。切替リレー３１のリレーコイル３３に接続されたリレー駆動回路３４は、制御部３の指示により動作して、リレー接点３２を切り替える。リレーコイル３３に通電されていないとき、リレー接点３２はＮＣ接点と導通する。このとき、待機時放電経路が形成される。制御部３が切替信号を出力すると、リレーコイル３３に通電され、リレー接点３２がＮＯ接点と導通する。これにより、運転時放電経路が形成される。
【００３１】
制御部３は、暖房運転や冷房運転などが行われる空調運転時に切替信号を出力する。空調運転が行われていない待機時には切替信号を出力しない。すなわち、制御部３は、空調運転を終了するとき、切替信号の出力を停止する。切替リレー３１のＮＣ接点が閉じ、第２コンデンサ２７が導通する。放電経路が運転時放電経路から待機時放電経路に変更される。また、制御部３は、空調運転を開始するとき、切替信号を出力する。ＮＯ接点が閉じ、第１コンデンサ２５が導通する。放電経路が待機時放電経路から運転時放電経路に変更される。
【００３２】
空気調和機が待機状態にあるとき、ユーザがリモコンなどの操作機器を操作する、あるいは予約された運転開始時間になるといったような運転開始の指示があると、空調運転が行われる。このとき、制御部３は、運転を開始する前に切替信号をリレー駆動回路３４に出力する。切替リレー３１が動作して、ＮＯ接点が閉じて、第１コンデンサ２５が導通する。待機時放電経路から運転時放電経路に切り替わる。このように、運転開始の指示があると、運転開始のために他の回路を動作させる前に放電経路が運転時放電経路に切り替えられる。運転開始時にノイズが発生しても、ノイズを速やかに吸収することができる。
【００３３】
放電経路が切り替えられた後、制御部３は、電源スイッチ６をオンする。電源スイッチ６がオンしている間、制御部３は切替信号が出力し続け、運転時放電経路が維持される。回路から発生したノイズが大容量の第１コンデンサ２５に吸収され、空調運転時の雑音電圧が低減される。ここで、電源プラグがコンセントから抜かれたり、停電などによって交流電源が遮断されたとき、他の回路が動作している状態で電源遮断となるので、動作している回路が放電経路として機能する。そのため、第１コンデンサ２５に蓄えられた電荷は、放電抵抗２６だけでなく他の回路を通じて放電され、放電時間は短くなる。
【００３４】
ユーザがリモコンなどの操作機器を操作する、あるいは予約された運転停止時間になるといったような運転停止の指示があると、空調運転が停止される。まず、制御部３は、運転停止の指示を受けると、圧縮機１７を停止させる。停止の指示から所定時間、例えば９０秒経過すると、制御部３は電源スイッチ６をオフする。この間、運転時放電経路は維持されたままである。室外機の電装部品の冷却のために室外ファンが駆動されるので、このときに発生するノイズが吸収される。
【００３５】
制御部３は、電源スイッチ６をオフした後、予め設定された移行時間、例えば３分経過すると、放電経路を変更する。制御部３が切替信号の出力を停止すると、切替リレー３１のＮＣ接点が閉じ、運転時放電経路から待機時放電経路への切り替えが行われる。待機時には、小容量の第２コンデンサ２７が使用される。なお、移行時間が経過する前に、空調運転開始の指示があると、制御部３は、切替信号を出力し続け、空調運転を開始する。
【００３６】
待機時、制御部３は切替信号を出力せず、切替リレー３１に通電されない。そのため、消費電力の増大を防ぐことができる。また、待機時には、回路からの雑音の発生が少ない。待機時放電経路にある小容量のコンデンサ２７であっても、十分にノイズ吸収の効果が発揮される。しかも、第２コンデンサ２７に蓄えられた電荷は第１コンデンサ２５に蓄えられる電荷よりも少ない。ここで、電源プラグがコンセントから抜かれたり、停電などによって交流電源が遮断されると、第２コンデンサ２７に蓄えられた電荷が放電抵抗２６を通じて放電される。蓄えられた電荷が少ないので、放電時間は短い。
【００３７】
例えば、第１コンデンサ２５の容量が０．１μＦ、第２コンデンサ２７の容量が０．０１μＦ、放電抵抗２６の抵抗値が１ＭΩであるとき、第１コンデンサ２５の放電時間は約０．１秒となる。第２コンデンサ２７の放電時間は約０．０１秒となる。この場合、放電時間は電気用品安全法の規格を満たしている。そこで、放電抵抗２６の抵抗値を例えば１０ＭΩにすることが可能となる。第２コンデンサ２７の放電時間は約０．１秒となり、電気用品安全法の規格が満たされている。そして、ＡＣ電源が１００Ｖのとき、放電抵抗２６での電力損失は１ｍＷとなる。なお、放電抵抗２６の抵抗値が１ＭΩの場合、放電抵抗２６での電力損失は１０ｍＷとなる。したがって、抵抗値の高い放電抵抗２６を使用することにより、待機時に小容量の第２コンデンサ２７を使用しても、電源遮断時の放電時間が長くなることがなく、しかも待機時の消費電力を低減できる。
【００３８】
（第２実施形態）
空調運転から待機状態にするとき、あるいは待機状態から空調運転を開始するとき、放電経路が切り替えられる。切替リレー３１の動作により放電経路が切り替えられたとき、切替リレー３１のオフ側に接続されたコンデンサでは、回路上、オープンになるため、電荷が充電されたままになる。この場合、オフされるコンデンサは回路的にオープンになっているので、残留電荷の放電には全く影響がない。しかし、オフされるコンデンサに電荷が溜まった状態にしておくことは好ましくない。そこで、オフされるコンデンサに電荷が残ったままにならないようにするため、放電経路の切り替えのタイミングが交流電源の位相に基づいて決められる。すなわち、制御部３は、交流電圧がゼロクロスするときに放電経路を切り替える。その他の構成は第１実施形態と同じである。
【００３９】
図４に示すように、交流電圧の位相に基づく切替タイミングを検出するタイミング検出部３５が設けられる。タイミング検出部３５は、整流回路１０の前段における交流電圧を検出する。なお、３６は交流電圧検出用の抵抗である。そして、図５に示すように、タイミング検出部３５は、交流電圧がゼロクロスするときにクロックパルスを発生して、制御部３に出力する。制御部３は、クロックパルスを受け取ったとき、切替信号を出力する、あるいは切替信号の出力を停止する。
【００４０】
このように、交流電圧がゼロクロスするときに放電経路が変更される。オフされるコンデンサは交流電圧が０Ｖのときに切り替えられるので、コンデンサには充電されず、電荷がない状態でコンデンサを保持することができる。また、交流電圧の位相が９０度のとき、すなわち最大電圧のときに切替リレー３１が動作すると、第１コンデンサ２５からの充電電流と第２コンデンサ２７からの放電電流がリレー接点３２に突入電流として流れ込んでくる。リレー接点３２の溶着などの故障が発生するおそれがある。しかし、交流電圧が０Ｖになるタイミングでリレーを動作させると、リレー接点３２には突入電流は流れず、切替リレー３１の安定した動作を確保できる。
【００４１】
（第３実施形態）
空調運転中、室温が設定温度になると、室内ファンや圧縮機１７が停止するサーモオフが行われる。また、室温と設定温度との差が大きくなると、サーモオンが行われ、圧縮機１７や室外ファンが動作する。制御部３は、サーモオフあるいはサーモオンを実行するときに、放電経路を変更する。すなわち、制御部３は、空調運転中においても、圧縮機１７や室内外のファンが動作しない待機状態と同じ状態になるとき、運転時放電経路から待機時放電経路に切り替える。その他の構成は第１または第２実施形態と同じである。
【００４２】
制御部３は、サーモオフを開始して、圧縮機１７や室内ファンを停止させる。この停止後、所定時間経過すると、制御部３は、室外ファンを停止し、室外ファンの停止後に、切替信号の出力を停止して、放電経路を変更する。放電経路が運転時放電経路から待機時放電経路に切り替わる。
【００４３】
制御部３は、サーモオフ中、室温を検知し、室温と設定温度との差が大きくなると、サーモオンを行う。まず、制御部３は、切替信号を出力して、放電経路を変更する。放電経路が待機時放電経路から運転時放電経路に切り替わる。この後、制御部３は、サーモオンを開始して、圧縮機１７や室内外のファンを動作させる。
【００４４】
なお、サーモオフ時に室温が検知されるが、検知するときに室内ファンを動作させる場合がある。この場合、制御部３は、室内ファンを動作させる前に、切替信号を出力する。放電経路が待機時放電経路から運転時通電経路に切り替わった後、室内ファンが動作する。室温の検知後、サーモオフが継続されるとき、制御部３は、室内ファンを停止させてから切替信号の出力を停止する。サーモオンが行われるとき、制御部３は、そのまま切替信号を出力し、運転時放電経路を維持する。
【００４５】
このように、サーモオフ中に電源が遮断されても、小容量の第２コンデンサ２７の電荷が放電されるので、放電時間は短くなる。しかも、サーモオフ中は切替リレー３１に通電されないので、消費電力を低減できる。
【００４６】
（第４実施形態）
空調運転として、室内ファンのみが動作する送風運転がある。このとき、電源スイッチ６はオフである。送風運転が行われるときにも、送風運転よりも先に放電経路が変更される。その他の構成は第１〜第３実施形態と同じである。
【００４７】
空気調和機が待機状態にあるときに送風運転の指示があると、制御部３は、切替リレー３１を動作させて、放電経路を変更する。放電経路が待機時放電経路から運転時放電経路に切り替わる。この後、制御部３は、室内ファンを動作させる。送風運転中、運転時放電経路が維持される。そして、送風運転が終了するとき、制御部３は、室内ファンを停止させてから放電経路を変更する。空気調和機が待機状態になり、放電経路が運転時放電経路から待機時放電経路に切り替わる。これにより、室内ファンの動作中にノイズが発生しても、大容量のコンデンサ２５が使用されているので、ノイズを確実に吸収できる。
【００４８】
（第５実施形態）
本実施形態の電源部１では、図６に示すように、ノイズ吸収用の第１コンデンサ２５と第２コンデンサ２７が直列に接続され、運転時放電経路は、第１コンデンサ２５を通るように形成され、待機時放電経路は、第１コンデンサ２５および第２コンデンサ２７を通るように形成される。放電部３０は、運転時放電経路と待機時放電経路のいずれか一方を導通させるスイッチ素子を有する。スイッチ素子のオンにより運転時放電経路が導通され、スイッチ素子のオフにより待機時放電経路が導通される。その他の構成は第１〜第４実施形態と同じである。
【００４９】
スイッチ素子は、ａ接点タイプの常開リレー３７とされる。常開リレー３７のリレー接点３８が、第２コンデンサ２７に並列に接続される。常開リレー３７のリレーコイル３９に接続されたリレー駆動回路３４は、制御部３の指示により動作して、リレー接点３８をオンオフする。
【００５０】
制御部３が切替信号を出力すると、常開リレー３７がオンする。リレーコイル３９に通電され、リレー接点３８が閉じる。これにより、第２コンデンサ２７が短絡され、第２コンデンサ２７を通らない運転時放電経路が形成される。制御部３が切替信号を出力していないとき、常開リレー３７がオフする。リレーコイル３９に通電されず、リレー接点３８が開く。これにより、第１コンデンサ２５と第２コンデンサ２７をつなぐ待機時放電経路が形成される。
【００５１】
第１コンデンサ２５の容量が０．１μＦ、第２コンデンサ２７の容量が０．０１μＦであるとき、２つのコンデンサの合成容量は０．１×０．０１／（０．１＋０．０１）＝０．００９μＦとなる。このように、待機時放電経路におけるコンデンサの合成容量は、運転時放電経路における第１コンデンサ２５の容量よりも小となる。
【００５２】
待機時には、制御部３は、切替信号を出力しない。常開リレー３７は動作しないので、常開リレー３７による電力消費はない。このとき、２つのコンデンサ２５、２７がノイズ吸収用のコンデンサとなり、合成容量は小さいが、回路からのノイズの発生が少ないので、ノイズ吸収の機能を発揮するには十分である。そして、待機時に電源遮断が発生したとき、第１コンデンサ２５および第２コンデンサ２７に蓄えられている電荷が少ないので、短時間に放電できる。
【００５３】
空調運転が行われると、放電経路が変更される。制御部３は、切替信号を出力してから空調運転を開始する。常開リレー３７がオンして、第２コンデンサ２７が短絡され、第１コンデンサ２５とリレー接点３８をつなぐ放電経路が形成される。空調運転中、回路からのノイズの発生は多いが、大容量の第１コンデンサ２５によりノイズが吸収される。そして、空調運転中に電源が遮断されたとき、他の回路が動作している状態のため、第１コンデンサ２５に蓄えられた電荷は他の回路でも放電され、放電時間は短い。
【００５４】
（第６実施形態）
図３に示すように、電源部１において使用されるコンデンサには、ノイズ吸収用のコンデンサだけでなく、平滑コンデンサ１１がある。平滑コンデンサ１１に蓄えられた電荷は、直流電源ライン１４に設けられた放電抵抗１３とスイッチング電源回路１６や制御部３の負荷を通じて放電される。ところで、室外機の電源部１では、圧縮機１７を駆動制御するためにインバータ回路を有している。そのため、電解コンデンサからなる平滑コンデンサ１１には、高電圧、例えば２８０Ｖの直流電圧がかかっている。そして、制御部３を駆動するために、スイッチング電源回路１６は、この直流の高電圧から低電圧、例えば５Ｖの直流電圧を生成して、生成した直流電圧を制御部３に供給する。直流電源ライン１４とスイッチング電源回路１６との間に、電流ヒューズ１９が設けられている。電流ヒューズ１９は、スイッチング電源回路１６にショートモードで異常が発生した場合に安全装置として働く。
【００５５】
空調運転中に電流ヒューズ１９が切れた場合、制御部３への電源が遮断され、空調運転が停止される。平滑コンデンサ１１に充電されている高電圧の放電は、放電抵抗１３のみで行われる。そのため、平滑コンデンサ１１の放電に時間がかかる。作業者が室外機の修理を行うために電源をオフしても、平滑コンデンサ１１の電圧が安全上問題のないレベルに下がるまで待たなければならず、作業を開始するまで時間がかかる。ここで、放電抵抗１３の抵抗値を小さくすれば、放電時間を短くすることができる。しかし、空気調和機の電源がオンしている間は、放電抵抗１３に電流が流れて電力が消費される。省エネルギのためには、抵抗値を小さくすることができない。
【００５６】
そこで、本実施形態の空気調和機では、電流ヒューズ１９の切断といった状況が発生したときに平滑コンデンサ１１に充電された電荷をすばやく放電できるようにしながら、放電抵抗１３での消費電力を低減して、省エネルギを図れるようにする。
【００５７】
図７に示すように、平滑コンデンサ１１用の放電抵抗として、抵抗値の大きい第１放電抵抗４１および抵抗値の小さい第２放電抵抗４２が設けられる。例えば、平滑コンデンサ１１の容量は１８００μＦ、第１放電抵抗４１は６６０ｋΩ、第２放電抵抗４２は１ｋΩとされる。第１放電抵抗４１と第２放電抵抗４２は、直流電源ライン１４において並列に接続され、両放電抵抗４１、４２は平滑コンデンサ１１と負荷との間に配される。第１放電抵抗４１を通る通常放電経路と第２放電抵抗４２を通る急速放電経路とが形成される。状況に応じて２つの放電経路を切り替える放電回路（放電部）４３が設けられる。その他の構成は第１〜第５実施形態と同じである。
【００５８】
放電回路４３は、空調運転時や待機時のような正常な状況のときには通常放電経路を使用し、電流ヒューズ１９の切断などの電源遮断時のような緊急の状況には急速放電経路を使用するように切り替える。すなわち、電流ヒューズ１９が切れて、制御部３への電源が遮断されたときに、放電部４３は、通常放電経路から急速放電経路に切り替える。
【００５９】
放電回路４３は、急速放電経路を導通させるスイッチ素子を有する。スイッチ素子は、急速放電経路において、第２放電抵抗４２に直列に接続される。スイッチ素子がオフしているとき、急速放電経路が遮断され、通常放電経路が使用可能となる。スイッチ素子がオンすると、急速放電経路が導通される。
【００６０】
スイッチ素子として、ＮＰＮ型の切替トランジスタ４４が用いられる。切替トランジスタ４４のエミッタ端子が第２放電抵抗４２に接続され、コレクタ端子が直流電源ライン１４の０Ｖに接続される。ベース端子は、電流ヒューズ１９とスイッチング電源回路１６の中間点に接続される。
【００６１】
高圧の直流電圧が電流ヒューズ１９を通ってスイッチング電源回路１６に供給されると、制御部３が作動して、空調運転が行われる。このとき、切替トランジスタ４４のベース端子に直流電圧がかかっているが、高抵抗値（例えば１ＭΩ）の抵抗４５があるため、直流電源ライン１４の０Ｖに向かって電流が流れない。そのため、ベース端子の電位は高いままであり、切替トランジスタ４４はオフしている。急速放電経路は遮断され、通常放電経路が使用可能となる。
【００６２】
ここで、電源プラグがコンセントから外れる、あるいは停電といったように、電流ヒューズ１９が切れずに交流電源が遮断されたとき、制御部３に供給される直流電圧が最低動作電圧に下がるまで、制御部３は作動する。そのため、第１放電抵抗４１だけでなく、スイッチング電源回路１６、制御部３などの他の回路を通じて平滑コンデンサ１１に蓄えられた電荷が放電される。したがって、放電時間は短く、例えば約１分となる。
【００６３】
電流ヒューズ１９が切れたとき、制御部３への電源が遮断され、制御部３は作動しなくなる。このとき、切替トランジスタ４４のベース端子は抵抗４５を介して直流電源ライン１４の０Ｖに接続され、ベース端子の電位が下がる。切替トランジスタ４４がオンして、急速放電経路が形成される。第２放電抵抗４２が第１放電抵抗４１よりも抵抗値が低いので、平滑コンデンサ１１の電荷は、急速放電経路を流れる。このとき、放電時間は約１０秒となる。なお、急速放電経路ではなく通常放電経路を通じて放電が行われると、放電時間は約８０分となる。
【００６４】
このように、高圧の直流電圧がかかっている直流電源ライン１４において、電源遮断の緊急状況になったとき、自動的に放電経路が切り替えられ、抵抗値の低い第２放電抵抗４２を通じて平滑コンデンサ１１に蓄えられた電荷を短時間で放電することができる。したがって、作業者が室外機の修理を行う際に、放電のための待ち時間をなくすことができ、すぐに作業を始めることができる。また、空調運転時や待機時には、第２放電抵抗４２に通電されないので、この抵抗４２で電力は消費されず、省エネルギの妨げにはならない。
【００６５】
（第７実施形態）
本実施形態では、図８に示すように、放電部４３のスイッチ素子として、ｂ接点タイプの常閉リレー４６が用いられ、制御部３の作動状況に応じて常閉リレー４６がオンオフされる。電流ヒューズ１９の切断により制御部３が作動しなくなると、常閉リレー４６がオンして、急速放電経路が導通される。その他の構成は第１〜第６実施形態と同じである。
【００６６】
常閉リレー４６のリレー接点４７は、急速放電経路中に設けられる。常閉リレー４６のリレーコイル４８にトランジスタ４９が接続され、制御部３によりトランジスタ４９の駆動が制御される。リレーコイル４８はスイッチング電源回路１６に接続され、スイッチング電源回路１６から直流電源が供給される。トランジスタ４９がオンすると、リレーコイル４８に通電され、常閉リレー４６はオンする。トランジスタ４９がオフすると、リレーコイル４８に通電されなくなり、常閉リレー４６はオフする。
【００６７】
制御部３がトランジスタ４９にリレーオフ信号を出力すると、トランジスタ４９がオンして、リレーコイル４８にスイッチング電源回路１６から１２Ｖの駆動電圧が印加される。リレーコイル４８に通電され、リレー接点４７が開く。常閉リレー４６はオフして、急速放電経路が遮断される。制御部３からリレーオフ信号が出力されなくなると、トランジスタ４９がオフして、リレーコイル４８に通電されなくなり、リレー接点４７が閉じる。常閉リレー４６はオンして、急速放電経路が導通される。
【００６８】
ここで、電流ヒューズ１９が切れたとき、制御部３は作動しなくなる。すなわち、リレーオフ信号が制御部３から出力されなくなる。常閉リレー４６がオンして、急速放電経路が導通される。このように、電源遮断の緊急状況になって、制御部３が作動しなくなると、自動的に第２放電抵抗４２を有する急速放電経路に切り替えられる。したがって、平滑コンデンサ１１に蓄えられた電荷を短時間で放電することができる。
【００６９】
（第８実施形態）
電流ヒューズ１９が切れて、空調運転が停止したとき、平滑コンデンサ１１に蓄えられた電荷が放電される。本実施形態では、このような緊急の状況にあることが報知される。すなわち、図９に示すように、電源遮断時に放電中であることを報知する報知部５０が設けられる。報知部５０は、急速放電経路を使用した放電時に発生する放電電流によって動作する。その他の構成は第６、７実施形態と同じである。
【００７０】
報知部５０は、ＬＥＤ５１の点灯によって報知する。ＬＥＤ５１は、基板上の視認しやすい場所に設けられる。そして、急速放電経路中に、ＬＥＤ５１が配される。ＬＥＤ５１は、切替トランジスタ４４のコレクタ端子に抵抗５２を介して接続される。ＬＥＤ５１の過電圧保護のために、ツェナーダイオード５３がＬＥＤ５１と並列に接続される。
【００７１】
空調運転時などの正常な状況のとき、切替トランジスタ４４がオフしており、ＬＥＤ５１には通電されない。電流ヒューズ１９が切れたとき、切替トランジスタ４４がオンすると、ＬＥＤ５１に放電電流が流れ、ＬＥＤ５１が点灯する。放電が完了すると、放電電流が流れなくなり、ＬＥＤ５１は消灯する。このように、平滑コンデンサ１１の電荷が放電中であることを認識することができ、作業者が不用意に平滑コンデンサ１１に触れることを防止できる。なお、この報知は、ＬＥＤ５１に限らず、音や表示であってもよい。
【００７２】
（第９実施形態）
空気調和機に使用される交流電源の電源電圧が複数存在する。例えば、日本では、１００Ｖと２００Ｖである。空気調和機の定格電圧に適合したいずれかの電源電圧が使用される。空気調和機を設置したとき、例えばＡＣ１００Ｖの定格電圧の製品にＡＣ２００Ｖの電源電圧が印加されるといったように、空気調和機に適合していない交流電源が投入されると、室内機の回路部品やファンモータが破壊されることがある。このような事態を防ぐために、図１０に示すように、整流回路１０の前段に電流ヒューズ６０やバリスタ６１といった回路保護部品が設けられる。なお、図１１に示すように、回路保護部品、整流回路１０、平滑コンデンサ１１および放電抵抗１３からなる平滑回路６２は、電装基板６３に搭載されている。過電圧が印加されたとき、バリスタ６１が短絡破壊し、電流ヒューズ６０が溶断する。これにより、電流ヒューズ６０より後段に配されている部品を過電圧から保護することができる。
【００７３】
ところで、過電圧が印加されて、回路保護部品が破壊されると、これらの部品を交換する必要が生じる。交換作業を簡単に行うことができるように、特許文献（特開平４−１２７８３５号公報）には、図１２に示すように、電流ヒューズ６０とバリスタ６１が電装基板６３とは別の専用基板６４に設けられ、専用基板６４が電装基板６３にコネクタ６５により接続されることが記載されている。交換作業は、専用基板６４を取り替えればすむ。
【００７４】
しかし、回路保護部品を交換するには、新しい専用基板６４が必要となる。特に、空気調和機の設置作業中に電流ヒューズ６０などの回路保護部品が破壊されたとき、新しい専用基板６４を手配しなければならず、すぐに交換作業ができない。そのため、空気調和機の設置の完了が遅れてしまう。そこで、本実施形態では、電装基板６３が予め交換用の回路保護部品を備えておくことにより、回路保護部品を簡単に交換できるようにする。その他の構成は第１〜第８実施形態と同じである。
【００７５】
図１３に示すように、整流回路１０、平滑コンデンサ１１などの回路部品が搭載された電装基板６３に、回路保護部品である電流ヒューズ６０およびバリスタ６１が設けられる。電流ヒューズ６０およびバリスタ６１は電装基板６３に半田付けされている。そして、電装基板６３に、交換用の回路保護部品が設けられる。
【００７６】
交換用の回路保護部品である電流ヒューズ７０およびバリスタ７１が電装基板６３の一角に搭載され、電流ヒューズ７０およびバリスタ７１は半田付けされている。電装基板６３の一角に切れ目が形成され、電装基板６３の一部が切り離し可能とされる。切り離された基板が交換用の回路保護部品を搭載した交換基板７２とされる。すなわち、交換基板７２は、電装基板６３に一体的に設けられ、かつ電装基板６３から切り離し可能とされる。そして、交換基板７２にコネクタ７３が実装され、電装基板６３に交換基板７２のコネクタ７３を接続するためのコネクタ７４が実装される。交換基板７２のコネクタ７３と電装基板６３のコネクタ７４とが結線されると、交換基板７２の回路保護部品が電装基板６３の回路部品に電気的に接続される。
【００７７】
交流電源ライン１２に過電圧が印加されると、バリスタ６１が短絡破壊され、電流ヒューズ６０が溶断される。これらの回路保護部品より後段にある回路部品は過電圧から保護される。作業者は、破壊された回路保護部品を取り除き、新しい回路保護部品と交換する。
【００７８】
破壊された回路保護部品が電装基板６３上から取り外される。図１４に示すように、交換基板７２が電装基板６３から切り離され、電装基板６３の元の回路保護部品が搭載されていた場所に交換基板７２が設置される。交換基板７２のコネクタ７３と電装基板６３のコネクタ７４とが電線で接続される。図１５に示すように、交換基板７２では、電流ヒューズ７０とバリスタ７１が直列になるように配線されている。互いのコネクタ７３、７４の接続端子が電線で接続され、電装基板６３の交流電源ライン１２に新しい回路保護部品が装着される。
【００７９】
このように、電装基板６３の回路保護部品の交換の必要が生じたとき、新しい回路保護部品があるので、すぐに交換することができる。特に、空気調和機を設置している場合、その場で部品を交換することができるので、交換作業を早く終えることができ、本来の設置作業にすばやく戻ることができる。
【００８０】
（第１０実施形態）
本実施形態では、新しい回路保護部品を搭載した交換基板７２が配線なしで電装基板６３に接続される。すなわち、図１６に示すように、交換基板７２に接続端子７６が形成され、電装基板６３に接続端子７６を装着するコネクタ７７が設けられる。接続端子７６は、交換基板７２の一端と電装基板６３とを連結するように形成され、接続端子７６に複数の電極が形成される。その他の構成は第１〜第９実施形態と同じである。
【００８１】
回路保護部品を交換するために、交換基板７２を電装基板６３から切り離すとき、接続端子７６の先端を電装基板６３から切り離す。図１７に示すように、接続端子７６の先端をコネクタ７７に挿入することにより、交換基板７２が電装基板６３に装着され、新しい回路保護部品が電装基板６３に電気的に接続される。
【００８２】
このように、交換基板７２はコネクタ７７に直接接続されるので、接続のための配線が不要となる。したがって、交換作業が簡単であり、早く作業を終えることができる。また、過電圧が印加されたときにバリスタ７１が瞬間的に高温になるおそれがあるが、配線なしで基板接続しているので、配線を通じて周囲に熱影響を及ぼすことがない。
【００８３】
（第１１実施形態）
本実施形態では、交換用の回路保護部品が電装基板６３に直接搭載される。図１８に示すように、電装基板６３に、２組の回路保護部品が設けられる。１つは、出荷時から搭載されている電流ヒューズ７０とバリスタ７１からなる回路保護部品であり、他の１つは交換用の電流ヒューズ７３とバリスタ７４からなる回路保護部品である。そして、いずれか一方の回路保護部品を使用可能とするために接続部材８０が用いられ、接続部材８０により回路保護部品は電装基板６３に電気的に接続される。その他の構成は第１〜第９実施形態と同じである。
【００８４】
図１９に示すように、２組の回路保護部品が交流電源ライン１２において並列に配置される。各バリスタ７１、７４と整流回路１０との間は配線されておらず、第１、第２不通区間８１、８２が形成される。また、交換用の電流ヒューズ７３の前段にも第３不通区間８３が形成される。これらの不通区間８１〜８３にジャンパ線やジャンパピンといった接続部材８０が実装されることにより、不通区間８１〜８３が導通される。
【００８５】
ここで、初期状態では、図２０に示すように、第１不通区間８１に接続部材８０が半田付けによって実装される。第２、第３不通区間８２、８３には、接続部材８０は実装されない。これにより、一方の回路保護部品が使用可能な部品となり、他方の回路保護部品は交換用の部品となる。
【００８６】
過電圧が印加されて、使用中の回路保護部品が破壊されると、他方の回路保護部品に交換される。図２１に示すように、第１不通区間８１にある接続部材８０が取り外される。なお、接続部材８０を切断してもよい。そして、第２、第３不通区間８２、８３に、それぞれ接続部材８０が半田付けによって実装される。これにより、破壊された回路保護部品から新しい回路保護部品に切り替えられ、他方の回路保護部品が使用可能となる。
【００８７】
このように、電装基板６３に交換用の回路保護部品を搭載することにより、接続部材８０だけを用意しておけば、すぐに交換作業を終えることができる。また、回路保護部品を取り外さなくてもよく、取り外すための作業時間を省略できる。接続部材８０の半田取り外し時に半田パッドが剥がれても、その接続部材８０を再利用しないので、使用上何ら問題がなく、回路部品の動作信頼性を損なわない。
【００８８】
（第１２実施形態）
空気調和機の室内機と室外機は、３本の接続線によって電気的に接続される。図２２に示すように、室内機の端子板４に第１端子〜第３端子Ｔ１〜Ｔ３が設けられ、室外機の端子板４に第１端子〜第３端子Ｓ１〜Ｓ３が設けられる。室内機の第１、第２端子Ｔ１、Ｔ２と室外機の第１、第２端子Ｓ１、Ｓ２とが電源用の一対の接続線９０でそれぞれ接続される。室内機の第３端子Ｔ３と室外機の第３端子Ｓ３とが通信用の接続線９０で接続される。図２３に示すように、第１、第２端子Ｔ１、Ｔ２、Ｓ１、Ｓ２は、交流電源ライン１２に接続され、第３端子Ｔ３、Ｓ３は通信回路９１に接続される。
【００８９】
それぞれの第３端子Ｔ３、Ｓ３に接続された接続線９０を通じて室内機の制御部３は室外機の制御部３とシリアル通信を行う。室内機では、第３端子Ｔ３に接続された通信回路９１に、受信フォトカプラ９２および送信フォトカプラ９３が直列に接続される。また、過電圧が印加されたときにフォトカプラ９２、９３を保護するために過電圧保護用のダイオード９４および抵抗９５が通信回路９１に設けられる。交流電源ライン１２からの交流電圧を変換して得られた直流電圧が通信回路９１に供給される。室外機から信号が送信されると、受信フォトカプラ９２がオンし、制御部３の入力ポート９６にＨ信号が入力される。室内機から信号を送信するとき、制御部３は、出力ポート９７からＬ信号を出力する。送信フォトカプラ９３がオンして、信号が室外機に送信される。
【００９０】
例えば、室内機の第１端子Ｔ１が室外機の第３端子Ｓ３に接続され、室内機の第３端子Ｔ３が室外機の第１端子Ｓ１に接続されるといった誤配線が行われる場合がある。この場合、交流電源ライン１２が直接通信回路９１に接続され、通信回路９１に交流電圧が印加される。このとき、制御部３が信号を出力すると、送信フォトカプラ９３がオンする。通信回路９１に電流が流れ、通信回路９１中の抵抗９５に過電圧が印加される。抵抗９５が異常発熱したり、回路部品の損傷を招くおそれがある。
【００９１】
特許文献（特開２０１０−２３６７５７号公報）には、通信回路９１に過電圧が印加され、過電圧状態が続いた場合、通信回路９１を切断して、通信回路９１の破壊をなくすようにすることが記載されている。しかし、通信回路９１が切断される前に、送信フォトカプラ９３がオンしたとき、通信回路９１に電流が流れ、抵抗な過電圧が印加される。
【００９２】
そこで、誤配線があったとき、通信回路９１に過電圧によるストレスがかからないようにする。そのため、本実施形態では、誤配線が検出されたとき、通信回路９１に電流が流れないようにする、すなわち通信動作を行わないようにする。図２４に示すように、交流電源ライン１２に誤配線検出部１００が設けられ、制御部３は、誤配線を検知したとき、通信動作を禁止する。その他の構成は第１〜第１１実施形態と同じである。
【００９３】
誤配線検出部１００は、第１端子Ｔ１と第２端子Ｔ２とをつなぐ回路に設けられ、ダイオード１０１と抵抗１０２を直列に接続した半波整流回路とフォトカプラ１０３からなる。誤配線検出部１００は、交流電源ライン１２に交流電圧が印加されたときにフォトカプラ１０３の動作によりクロック信号を出力し、交流電圧が印加されないとき、クロック信号を出力しない。誤配線検出部１００からのクロック信号は制御部３に入力される。なお、室外機は室内機とは別電源で動作する。フォトカプラ１０３および制御部３の駆動用のＤＣ電源は別電源から供給される。
【００９４】
室内機と室外機が正しく配線されているとき、第１端子Ｔ１から交流電源ライン１２に交流電圧が印加される。フォトカプラ１０３は一定のタイミングでオンオフするので、図２５に示すように、誤配線検出部１００は、一定のタイミングでクロック信号を出力する。制御部３は、一定のタイミングでクロック信号の入力があると、室内機と室外機は正しく配線されていると判断する。このとき、制御部３は、通信回路９１の通信動作を許容する。すなわち、制御部３の出力ポート９７からＬ信号が出力可能となる。
【００９５】
誤配線されているとき、通信回路９１に交流電圧が印加される。交流電源ライン１２には、交流電圧は印加されないので、誤配線検出部１００は、クロック信号を出力しない。制御部３は、クロック信号の入力がないので、誤配線であると判断する。制御部３は、通信回路９１の通信動作を禁止する。出力ポート９７からＬ信号は出力されず、通信回路９１に電流は流れない。したがって、通信回路９１の抵抗９５に過電圧がかかることを防止できる。しかも、通信回路９１の抵抗９５に過電圧がかからないので、小電力タイプの抵抗を使用することが可能となり、通信が行われていない待機時の消費電力を低減できる。
【００９６】
（第１３実施形態）
本実施形態では、誤配線検出部１００のフォトカプラ１０３の駆動用の電源は、交流電源ライン１２から供給される。図２６に示すように、交流電源ライン１２にスイッチング電源回路１０４が接続される。スイッチング電源回路１０４は、交流電圧を５Ｖの直流電圧に変換して、フォトカプラ１０３および制御部３に供給する。すなわち、室内機と室外機は同一電源で動作する。その他の構成は第１〜第１２実施形態と同じである。
【００９７】
室内機と室外機が正しく配線されているとき、第１端子Ｔ１と第２端子Ｔ２間に交流電圧が印加される。誤配線検出部１００は、一定のタイミングでクロック信号を出力する。制御部３は、一定のタイミングで入力されるクロック信号を検知すると、室内機と室外機は正しく配線されていると判断して、出力ポート９７からの信号を出力可能とする。
【００９８】
第２端子Ｔ２と第３端子Ｔ３が誤配線されているとき、交流電源ライン１２に交流電圧が印加されない。スイッチング電源回路１０４は、第１端子Ｔ１と第３端子Ｔ３間にかかる交流電圧からフォトカプラ１０４の駆動用の直流電圧を生成する。しかし、交流電源ライン１２には、交流電圧は印加されないので、誤配線検出部１００は、クロック信号を出力しない。制御部３は、クロック信号の入力がないので、誤配線であると判断して、通信動作を禁止する。したがって、通信回路９１に電流は流れない。
【００９９】
（第１４実施形態）
本実施形態では、図２７に示すように、端子板４に第１〜第３端子Ｔ１〜Ｔ３とアース端子ＴＥが設けられる。第１端子Ｔ１と第２端子Ｔ２間には、ＡＣ２００Ｖが印加される。第３端子Ｔ３とアース端子ＴＥ間には、ＡＣ１００Ｖが印加される。誤配線検出部１００のフォトカプラ１０３の駆動用の電源は、交流電源ライン１２から供給される。その他の構成は第１〜第１３実施形態と同じである。
【０１００】
室内機と室外機が正しく配線されているとき、第１端子Ｔ１と第２端子Ｔ２間に交流電圧が印加される。図２８（ａ）に示すように、誤配線検出部１００は、一定のタイミングで交流電圧（２００Ｖ）に応じた時間だけクロック信号を出力する。制御部３は、誤配線検出部１００からのクロック信号を検知すると、室内機と室外機は正しく配線されていると判断して、出力ポート９７からの信号を出力可能とする。
【０１０１】
図２９に示すように、室内機の第２端子Ｔ２と室外機の第３端子Ｓ３、室内機の第３端子Ｔ３と室外機のアース端子ＳＥ、室内機のアース端子ＴＥと室外機の第２端子Ｔ２がそれぞれ接続され、室内機と室外機が誤配線されている。このとき、第１端子Ｔ１と第２端子Ｔ２間には、ＡＣ１００Ｖが印加される。第１端子Ｔ１と第３端子Ｔ３間には、ＡＣ２００Ｖが印加される。図２８（ｂ）に示すように、誤配線検出部１００は、一定のタイミングで交流電圧（１００Ｖ）に応じた時間だけクロック信号を出力する。誤配線されているときのクロック信号の出力時間は、正しく配線されているときの正規のクロック信号の出力時間よりも短い。制御部３は、入力されたクロック信号の出力時間が規定時間より短いことを確認すると、誤配線であると判断して、通信動作を禁止する。
【０１０２】
（第１５実施形態）
本実施形態では、図３０に示すように、誤配線検出部１００に、フォトカプラの代わりにＡＣトランス１０５が用いられる。ＡＣトランス１０５の２次側巻数は１次側巻数よりも少ない。ＡＣトランス１０５は、入力された交流電圧を制御部３に入力可能なレベルまで降圧した交流電圧を出力する。出力された交流電圧はダイオード１０６で整流され、一定のタイミングでクロック信号が生じる。誤配線検出部１００は、クロック信号を制御部３に出力する。その他の構成は第１〜第１４実施形態と同じである。
【０１０３】
室内機と室外機が正しく配線されているとき、第１端子Ｔ１から交流電源ライン１２に交流電圧が印加される。誤配線検出部１００は、一定のタイミングでクロック信号を出力する。制御部３は、誤配線検出部１００からのクロック信号の入力により、室内機と室外機は正しく配線されていると判断する。このとき、制御部３は、通信動作を許容する。
【０１０４】
誤配線されているとき、交流電源ライン１２には、交流電圧は印加されない、あるいは正規の交流電圧とは異なる交流電圧が印加される。誤配線検出部１００は、クロック信号を出力しない、あるいは正規のクロック信号とは異なる出力時間のクロック信号を出力する。制御部３は、クロック信号の有無、あるいはクロック信号の出力時間に基づいて、誤配線の有無を判断する。制御部３は、誤配線であると判断すると、通信動作を禁止する。
【０１０５】
以上の通り、本発明の空気調和機は、交流電圧を直流電圧に変換して、この直流電圧を負荷に供給するための電源部１を備え、電源部１は、コンデンサおよびコンデンサに蓄えられた電荷を放電する放電抵抗を有し、電源遮断時にコンデンサの放電時間を短縮するために、コンデンサから放電抵抗に至る放電経路を変更する放電部３０が設けられている。
【０１０６】
コンデンサの放電時間を短縮するためには、コンデンサに蓄えられる電荷を少なくする、あるいは抵抗の小さい放電抵抗にすればよい。そこで、電源遮断時に小容量のコンデンサを有する放電経路あるいは抵抗の小さい放電抵抗を有する放電経路に変更すると、放電時間を短くすることができる。
【０１０７】
電源部１のコンデンサとして、ノイズ吸収用の大容量の第１コンデンサ２５および小容量の第２コンデンサ２７が設けられ、第２コンデンサ２７を通らない運転時放電経路と第２コンデンサ２７を通る待機時放電経路とが形成され、放電部３０は、空調運転時には運転時放電経路を使用し、待機時には待機時放電経路に切り替える。これにより、待機時に電源が遮断されたとき、待機時放電経路を通じて短時間で放電できる。
【０１０８】
放電部３０は、交流電圧がゼロクロスするときに放電経路を切り替える。交流電圧がゼロクロスするとき、コンデンサには充電されない。そのため、切り替えられた放電経路のコンデンサに電荷が溜まらないようにできる。
【０１０９】
整流回路１０の前段に配された第１コンデンサ２５と第２コンデンサ２７は並列に接続され、放電部３０は、第１コンデンサ２５と第２コンデンサ２７のいずれか一方を導通させて、放電経路を形成するスイッチ素子を有する。スイッチ素子は、２つの放電経路を切り替える。これにより、状況に応じて容量の異なるコンデンサを使い分けることができ、空調運転時のノイズ吸収の効果と待機時における放電時間の短縮の効果が得られる。
【０１１０】
第１コンデンサ２５と第２コンデンサ２７は直列に接続され、運転時放電経路は、第１コンデンサ２５を通り、待機時放電経路は、第１コンデンサ２５および第２コンデンサ２７を通り、放電部３０は、運転時放電経路と待機時放電経路のいずれか一方を導通させるスイッチ素子を有する。このスイッチ素子は第２コンデンサ２７に並列に接続され、スイッチ素子のオンにより運転時放電経路が導通され、スイッチ素子のオフにより待機時放電経路が導通される。空調運転が終了して待機状態になると、スイッチ素子がオフされ、放電経路が切り替えられる。
【０１１１】
電源部１のコンデンサが平滑コンデンサ１１とされ、放電抵抗として、抵抗値の大きい第１放電抵抗４１および抵抗値の小さい第２放電抵抗４２が設けられ、第１放電抵抗４１を通る通常放電経路と第２放電抵抗４２を通る急速放電経路とが形成され、放電部４３は、空調運転時には通常放電経路を使用し、電源遮断時には急速放電経路に切り替える。電源遮断時に抵抗の小さい放電経路を通じて平滑コンデンサ１１の電荷をすばやく放電することができる。
【０１１２】
電源部１から供給される直流電圧によって作動する制御部３が設けられ、制御部３と電源部１との間に電流ヒューズ１９が設けられ、電流ヒューズ１９が切れて、制御部３への電源が遮断されたときに、放電部４３は、通常放電経路から急速放電経路に切り替える。電源ヒューズ１９が溶断すると、制御部３に電源が供給されなくなって、制御部３が作動しなくなるが、放電部４３により放電時間が短い放電経路に切り替えることができる。これにより、すぐに電流ヒューズ１９の交換などの対処を行える。
【０１１３】
放電回路４３は、急速放電経路を導通させるスイッチ素子を有し、スイッチ素子は、制御部３からの出力により動作して、急速放電経路を遮断する状態を維持し、制御部３からの出力がなくなると、急速放電経路を遮断する状態の維持を解除し、急速放電経路が導通される。これにより、制御部３が作動しなくなると、自動的に急速放電経路に切り替えることができる。
【０１１４】
急速放電経路を使用した放電時に発生する放電電流によって動作する報知部５０が設けられ、報知部５０は、電源遮断時に放電中であることを報知する。報知部５０は放電中だけ動作し、放電が終了すると動作が停止するので、放電中であることがわかる。
【０１１５】
また、空気調和機では、回路部品を過電圧から保護する回路保護部品が電装基板６３に搭載され、回路保護部品が過電圧により破壊されたときに使用される交換用の回路保護部品が電装基板６３に設けられる。これにより、回路保護部品が破壊されたとき、すぐに新しい回路保護部品に交換することができる。
【０１１６】
電装基板６３の一部に切り離し可能な交換基板７２が設けられ、交換基板７２に交換用の回路保護部品が搭載される。切り離した交換基板７２を電装基板６３に搭載することにより、回路保護部品の交換作業を行える。
【０１１７】
電装基板６３に、交換基板７２の接続用のコネクタ７７が設けられ、交換基板７２に、コネクタ７７に装着される接続端子７６が設けられる。交換基板７２の接続端子７６をコネクタ７７に接続することにより、交換基板７２を電装基板６３に搭載できる。
【０１１８】
交換用の回路保護部品が電装基板６３に搭載され、交換用の回路保護部品は接続部材８０により電装基板６３上の回路部品に導通される。接続部材８０を用意するだけで簡単に回路保護部品を交換することができる。
【０１１９】
また、空気調和機では、室内機と室外機が複数の接続線９０により電気的に接続され、室内機と室外機間の通信を行う通信回路９１を制御する制御部３は、接続線９０の誤配線が検知されると、通信回路９１の動作を禁止する。誤配線があるとき、通信回路９１が動作しないので、通信回路９１に電流が流れない。これにより、誤配線による過電圧が通信回路９１に印加されることを防止することができ、通信回路９１内の抵抗９５などの回路部品の損傷を防げる。
【０１２０】
接続線９０を通じて供給される交流電圧に基づいて、誤配線を検出する誤配線検出部１００が設けられる。誤配線検出部１００は、正しく配線されているときに供給される交流電圧に応じた信号を出力するとともに、誤配線されているときに供給される交流電圧に応じた信号を出力する。制御部３は、誤配線検出部１００からの出力に基づいて、誤配線の有無を判断する。
【０１２１】
なお、本発明は、上記実施形態に限定されるものではなく、本発明の範囲内で上記実施形態に多くの修正および変更を加え得ることは勿論である。第１〜第１５実施形態の構成を室内機あるいは室外機の一方にだけ適用するのではなく、室内機および室外機に適用してもよい。また、放電部は、ノイズ吸収用のコンデンサにおける放電経路の変更と平滑コンデンサにおける放電経路の変更を行うようにしてもよい。
【符号の説明】
【０１２２】
１    電源部
２    駆動部
３    制御部
１０    整流回路
１１    平滑コンデンサ
１３    放電抵抗
２５    第１コンデンサ
２６    放電抵抗
２７    第２コンデンサ
３０    放電部
３５    タイミング検出部
４１    第１放電抵抗
４２    第２放電抵抗
４３    放電回路
５０    報知部
６０    電流ヒューズ
６１    バリスタ
６３    電装基板
７０    電流ヒューズ
７１    バリスタ
７２    交換基板
９０    接続線
９１    通信回路
１００    誤配線検出部
【図１】
0006567930.tif 000002
【図２】
0006567930.tif 000003
【図３】
0006567930.tif 000004
【図４】
0006567930.tif 000005
【図５】
0006567930.tif 000006
【図６】
0006567930.tif 000007
【図７】
0006567930.tif 000008
【図８】
0006567930.tif 000009
【図９】
0006567930.tif 000010
【図１０】
0006567930.tif 000011
【図１１】
0006567930.tif 000012
【図１２】
0006567930.tif 000013
【図１３】
0006567930.tif 000014
【図１４】
0006567930.tif 000015
【図１５】
0006567930.tif 000016
【図１６】
0006567930.tif 000017
【図１７】
0006567930.tif 000018
【図１８】
0006567930.tif 000019
【図１９】
0006567930.tif 000020
【図２０】
0006567930.tif 000021
【図２１】
0006567930.tif 000022
【図２２】
0006567930.tif 000023
【図２３】
0006567930.tif 000024
【図２４】
0006567930.tif 000025
【図２５】
0006567930.tif 000026
【図２６】
0006567930.tif 000027
【図２７】
0006567930.tif 000028
【図２８】
0006567930.tif 000029
【図２９】
0006567930.tif 000030
【図３０】
0006567930.tif 000031